【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
インクを吐出するための複数の吐出口が配列方向に配列された記録ヘッドを用いて記録を行う記録装置であって、
前記記録ヘッドを記録媒体上の単位領域に対して前記配列方向と交差する走査方向へ相対的に複数回走査させる走査手段と、
記録媒体に対する記録動作を開始した後、第１の搬送量で所定回数搬送し、当該所定回数の搬送の次に前記第１の搬送量よりも大きい第２の搬送量で記録媒体を前記走査方向と交差する搬送方向に搬送する搬送手段と、
記録媒体上に記録する画像に対応する多値データを取得する取得手段と、
前記多値データに対して量子化パターンを前記配列方向に繰り返し適用することにより、量子化データを生成する量子化手段と、
前記複数回の走査に対応する複数のマスクパターンであって、それぞれ前記量子化パターンと互いに対応付けて定められた前記複数のマスクパターンに基づいて、前記量子化手段により生成された前記量子化データを前記複数回の走査それぞれに分配することにより、前記複数回の走査それぞれで用いる記録データを生成する生成手段と、
前記生成手段によって生成された前記記録データにしたがってインクを吐出するように、記録動作を制御する制御手段と、を有し、
前記量子化手段は、前記第２の搬送量の搬送がなされる直前の走査で記録媒体上に画像が記録された領域における前記搬送方向上流側の端部の位置が、前記量子化パターンを前記配列方向に繰り返し適用する際の切替位置となるように、記録媒体の先端に対して前記量子化パターンを適用する位置を設定することを特徴とする記録装置。
【請求項２】
前記生成手段は、前記量子化データのうちの、前記量子化パターン内の一部の領域を用い、且つ、前記量子化パターン内の他部の領域を用いずに量子化された領域に対しては、前記複数のマスクパターンのそれぞれを前記配列方向に分割して得られる複数のマスクパターン部分であって、前記量子化パターン内の前記一部の領域に対応する前記複数のマスクパターン部分のそれぞれを適用することを特徴とする請求項１に記載の記録装置。
【請求項３】
前記量子化パターンの前記配列方向における長さは、前記第１の搬送量の整数倍であることを特徴とする請求項１または２に記載の記録装置。
【請求項４】
前記複数のマスクパターンそれぞれの前記配列方向における長さは、前記第１の搬送量の整数倍であることを特徴とする請求項３に記載の記録装置。
【請求項５】
前記量子化パターンの前記配列方向における長さは、前記第２の搬送量の整数倍であることを特徴とする請求項１から４のいずれか１項に記載の記録装置。
【請求項６】
前記複数のマスクパターンそれぞれの前記配列方向における長さは、前記第２の搬送量の整数倍であることを特徴とする請求項５に記載の記録装置。
【請求項７】
前記記録ヘッドよりも前記搬送方向の上流側に設けられた第１の搬送ローラ対と、前記記録ヘッドよりも前記搬送方向の下流側に設けられた第２の搬送ローラ対と、を更に有し、
前記搬送手段は、記録動作を開始してから前記所定回数の搬送までは前記第２の搬送ローラ対を用いずに前記第１の搬送ローラ対を用いて記録媒体を搬送し、前記所定回数の搬送の後は前記第１の搬送ローラ対と前記第２の搬送ローラ対の両方を用いて記録媒体を搬送することを特徴とする請求項１から６のいずれか１項に記載の記録装置。
【請求項８】
前記搬送手段は、記録媒体の後端に対して記録を終了する前であって且つ前記第２の搬送量での搬送の後に、前記第１の搬送量で記録媒体を搬送し、
前記量子化手段は、前記第２の搬送量の次に行われた、前記第１の搬送量の最初の搬送の直後の走査で記録媒体上に画像が記録された領域の、前記搬送方向下流側の端部の位置から切り替わるように、記録媒体の後端に対して前記量子化パターンを適用する位置を設定することを特徴とする請求項１から７のいずれか１項に記載の記録装置。
【請求項９】
前記量子化パターンは、複数の画素それぞれに対してインクの吐出または非吐出を定めるための閾値が定められており、
前記複数のマスクパターンそれぞれは、前記複数の画素それぞれに対するインクの吐出の許容または非許容が定められていることを特徴とする請求項１から８のいずれか１項に記載の記録装置。
【請求項１０】
前記量子化パターンは、複数の画素それぞれに対してインクの吐出回数を定めるための閾値が定められており、
前記複数のマスクパターンそれぞれは、前記複数の画素それぞれに対するインクの吐出回数に応じたインクの吐出の許容または非許容が定められていることを特徴とする請求項１から８のいずれか１項に記載の記録装置。
【請求項１１】
前記取得手段によって取得された前記多値データが示す値が第１の値である場合に前記量子化手段によって生成される量子化データと、前記複数のマスクパターンのうちの第１のマスクパターンと、に基づいて前記生成手段によって生成される記録データに基づくドットの配置が、ホワイトノイズ特性とならないように、前記量子化パターンと前記第１のマスクパターンが互いに対応付けて定められていることを特徴とする請求項１から１０のいずれか１項に記載の記録装置。
【請求項１２】
前記取得手段によって取得された前記多値データが示す値が前記第１の値である場合に前記量子化手段によって生成される量子化データと、前記第１のマスクパターンと、に基づいて前記生成手段によって生成される記録データに基づくドットの配置が、レッドノイズ特性とならないように、前記量子化パターンと前記第１のマスクパターンが互いに対応付けて定められていることを特徴とする請求項１１に記載の記録装置。
【請求項１３】
前記取得手段によって取得された前記多値データが示す値が前記第１の値である場合に前記量子化手段によって生成される量子化データと、前記第１のマスクパターンと、に基づいて前記生成手段によって生成される記録データに基づくドットの配置が、ブルーノイズ特性となるように、前記量子化パターンと前記第１のマスクパターンが互いに対応付けて定められていることを特徴とする請求項１２に記載の記録装置。
【請求項１４】
前記取得手段によって取得された前記多値データが示す値が前記第１の値と異なる第２の値である場合に前記量子化手段によって生成される量子化データと、前記第１のマスクパターンと、に基づいて前記生成手段によって生成される記録データに基づくドットの配置が、ホワイトノイズ特性とならないように、前記量子化パターンと前記第１のマスクパターンが互いに対応付けて定められていることを特徴とする請求項１１から１３のいずれか１項に記載の記録装置。
【請求項１５】
前記取得手段によって取得された前記多値データが示す値が前記第１の値である場合に前記量子化手段によって生成される量子化データと、前記第１のマスクパターンと異なる第２のマスクパターンと、に基づいて前記生成手段によって生成される記録データに基づくドットの配置が、ホワイトノイズ特性とならないように、前記量子化パターンと前記第２のマスクパターンが互いに対応付けて定められていることを特徴とする請求項１１から１４のいずれか１項に記載の記録装置。
【請求項１６】
インクを吐出するための複数の吐出口が配列方向に配列された記録ヘッドを用いて記録を行う記録装置であって、
前記記録ヘッドを記録媒体上の単位領域に対して前記配列方向と交差する走査方向へ相対的に複数回走査させる走査手段と、
記録媒体の中央領域に対しては第１の搬送量で搬送し、記録媒体の後端を含む後端領域に対しては前記第１の搬送量よりも小さい第２の搬送量で記録媒体を前記走査方向と交差する搬送方向に搬送する搬送手段と、
記録媒体上に記録する画像に対応する多値データを取得する取得手段と、
前記多値データに対して量子化パターンを前記配列方向に繰り返し適用することにより、量子化データを生成する量子化手段と、
前記複数回の走査に対応する複数のマスクパターンであって、それぞれ前記量子化パターンと互いに対応付けて定められた前記複数のマスクパターンに基づいて、前記量子化手段により生成された前記量子化データを前記複数回の走査それぞれに分配することにより、前記複数回の走査それぞれで用いる記録データを生成する生成手段と、
前記生成手段によって生成された前記記録データにしたがってインクを吐出するように、記録動作を制御する制御手段と、を有し、
前記量子化手段は、前記第２の搬送量の搬送がなされる直前の走査で記録媒体に画像が記録された領域における前記搬送方向下流側の端部の位置が、前記量子化パターンを前記配列方向に繰り返し適用する際の切替位置となるように、記録媒体に対して前記量子化パターンを適用する位置を設定することを特徴とする記録装置。
【請求項１７】
前記記録ヘッドよりも前記搬送方向の上流側に設けられた第１の搬送ローラ対と、前記記録ヘッドよりも前記搬送方向の下流側に設けられた第２の搬送ローラ対と、を更に有し、
前記搬送手段は、前記第１の搬送量での搬送は前記第１の搬送ローラ対と前記第２の搬送ローラ対の両方を用いて記録媒体を搬送し、前記第２の搬送量での搬送は前記第１の搬送ローラ対を用いずに前記第２の搬送ローラ対を用いて記録媒体を搬送することを特徴とする請求項１６に記載の記録装置。
【請求項１８】
インクを吐出するための複数の吐出口が配列方向に配列された記録ヘッドを用いて記録を行う記録方法であって、
前記記録ヘッドを記録媒体上の単位領域に対して前記配列方向と交差する走査方向へ相対的に複数回走査させ、
記録媒体に対する記録動作を開始した後、第１の搬送量で所定回数搬送し、当該所定回数の搬送の次に前記第１の搬送量よりも大きい第２の搬送量で記録媒体を前記走査方向と交差する搬送方向に搬送し、
記録媒体上に記録する画像に対応する多値データを取得し、
前記多値データに対して量子化パターンを前記配列方向に繰り返し適用することにより、量子化データを生成し、
前記複数回の走査に対応する複数のマスクパターンであって、それぞれ前記量子化パターンと互いに対応付けて定められた前記複数のマスクパターンに基づいて、前記量子化データを前記複数回の走査それぞれに分配することにより、前記複数回の走査それぞれで用いる記録データを生成し、
生成された前記記録データにしたがってインクを吐出するように、記録動作を制御し、
前記量子化データの生成において、前記第２の搬送量の搬送がなされる直前の走査で記録媒体上に画像が記録された領域における前記搬送方向上流側の端部の位置が、前記量子化パターンを前記配列方向に繰り返し適用する際の切替位置となるように、記録媒体の先端に対して前記量子化パターンを適用する位置を設定することを特徴とする記録方法。
【請求項１９】
インクを吐出するための複数の吐出口が配列方向に配列された記録ヘッドを用いて記録を行う記録方法であって、
前記記録ヘッドを記録媒体上の単位領域に対して前記配列方向と交差する走査方向へ相対的に複数回走査させ、
記録媒体の中央領域に対しては第１の搬送量で搬送し、記録媒体の後端を含む後端領域に対しては前記第１の搬送量よりも小さい第２の搬送量で記録媒体を前記走査方向と交差する搬送方向に搬送し、
記録媒体上に記録する画像に対応する多値データを取得し、
前記多値データに対して量子化パターンを前記配列方向に繰り返し適用することにより、量子化データを生成し、
前記複数回の走査に対応する複数のマスクパターンであって、それぞれ前記量子化パターンと互いに対応付けて定められた前記複数のマスクパターンに基づいて、前記量子化データを前記複数回の走査それぞれに分配することにより、前記複数回の走査それぞれで用いる記録データを生成し、
生成された前記記録データにしたがってインクを吐出するように、記録動作を制御し、
前記量子化データの生成において、前記第２の搬送量の搬送がなされる直前の走査で記録媒体上に画像が記録された領域における前記搬送方向上流側の端部の位置が、前記量子化パターンを前記配列方向に繰り返し適用する際の切替位置となるように、記録媒体に対して前記量子化パターンを適用する位置を設定することを特徴とする記録方法。
【手続補正２】
【補正対象書類名】明細書
【補正対象項目名】００１５
【補正方法】変更
【補正の内容】
【００１５】
そこで、本発明は、インクを吐出するための複数の吐出口が配列方向に配列された記録ヘッドを用いて記録を行う記録装置であって、前記記録ヘッドを記録媒体上の単位領域に対して前記配列方向と交差する走査方向へ相対的に複数回走査させる走査手段と、記録媒体に対する記録動作を開始した後、第１の搬送量で所定回数搬送し、当該所定回数の搬送の次に前記第１の搬送量よりも大きい第２の搬送量で記録媒体を前記走査方向と交差する搬送方向に搬送する搬送手段と、記録媒体上に記録する画像に対応する多値データを取得する取得手段と、前記多値データに対して量子化パターンを前記配列方向に繰り返し適用することにより、量子化データを生成する量子化手段と、前記複数回の走査に対応する複数のマスクパターンであって、それぞれ前記量子化パターンと互いに対応付けて定められた前記複数のマスクパターンに基づいて、前記量子化手段により生成された前記量子化データを前記複数回の走査それぞれに分配することにより、前記複数回の走査それぞれで用いる記録データを生成する生成手段と、前記生成手段によって生成された前記記録データにしたがってインクを吐出するように、記録動作を制御する制御手段と、を有し、前記量子化手段は、前記第２の搬送量の搬送がなされる直前の走査で記録媒体上に画像が記録された領域における前記搬送方向上流側の端部の位置が、前記量子化パターンを前記配列方向に繰り返し適用する際の切替位置となるように、記録媒体の先端に対して前記量子化パターンを適用する位置を設定することを特徴とする。